(57)【要約】【課題】折り畳みが可能で、体積が小さく、携帯に便利な無煙携帯型バーベキューコンロを提供する。【解決手段】底盤２、二つの側板３、蓋４、支持板５および二つの掛板６を含む。底盤２は、両側の辺上に枢接部２０を設けている。二つの側板３は、底盤２の両側の辺上に相対するように枢設され、二つの折板３０が枢着してなり、二つの折板３０が上下にそれぞれ枢接部３１を設け、相互に枢着した部分を折り曲げ軸としている。蓋４は、相対する二つの側板３の上部に枢着され、周辺に枢接部４０が設けられ、上部に取っ手４２を有する加熱器４１が設けられている。支持板５は、蓋４の側辺に枢着され、蓋４の側辺の枢接部４０に枢着した枢接部５０が設けられ、開口部５１が設けられている。二つの掛板６は、底盤２、二つの側板３および蓋４の前後面上に組み合わされている。【選択図】図２
0003183959.tif 000002
【実用新案登録請求の範囲】
【請求項１】
両側の辺上に枢接部を設けた底盤と、
前記底盤の両側の辺上に相対するように枢設され、二つの折板が枢着してなり、前記二つの折板は上下にそれぞれ枢接部を設け、相互に枢着した部分を折り曲げ軸としている二つの側板と、
前記相対する二つの側板の上部に枢着され、周辺に枢接部が設けられ、上部に取っ手を有する加熱器が設けられている蓋４と、
前記蓋の側辺に枢着され、前記蓋の側辺の前記枢接部に枢着した枢接部が設けられ、開口部が設けられている支持板と、
前記底盤、前記二つの側板および前記蓋の前後面上に組み合わされている二つの掛板と、を含むことを特徴とする無煙携帯型バーベキューコンロ。
【請求項２】
前記折板の二つの折板は、枢着棒により相対して接続する前記枢接部に枢着され、下部が前記枢着棒により底縁の前記枢接部と前記底盤両側の前記枢接部とが相互に枢着され、前記蓋も前記枢着棒により相対する前記二つの折板上部の前記枢接部に枢着され、前記支持板上部の前記枢接部も前記枢着棒により前記蓋側辺の前記枢接部に枢着されていることを特徴とする請求項１に記載の無煙携帯型バーベキューコンロ。
【考案の詳細な説明】
【技術分野】
【０００１】
本考案は、無煙携帯型バーベキューコンロに関し、特に、折り畳みが可能で、体積が小さく、携帯に便利な無煙携帯型バーベキューコンロに関する。
【背景技術】
【０００２】
図１を参照して説明するが、図１は、従来のバーベキューコンロを示す分解斜視図である。図１に示すように、バーベキューが行なわれる際は、バーベキューコンロ１がよく用いられる。バーベキューコンロ１は、本体１０、および本体１０上に架設された網１１を含む。バーベキューコンロ１の下部に支脚１２が支持するように螺着されている。バーベキューコンロ１は、固定された状態であるため、不使用時において、本体１０および支脚１２を収納することができず、無駄に場所を取った。
また、バーベキューコンロ１は、開放状態で、覆う物がないため、バーベキューを行なう際に発生した熱エネルギーが上方および外側に放出されやすく、熱効率が良くなかった。
【先行技術文献】
【特許文献】
【０００３】
【特許文献１】実用新案登録第３１８０２７０号公報
【考案の概要】
【考案が解決しようとする課題】
【０００４】
本考案の目的は、折り畳みが可能で、体積が小さく、携帯に便利な無煙携帯型バーベキューコンロを提供することにある。
【課題を解決するための手段】
【０００５】
本考案は、上述の目的を達成するため、無煙携帯型バーベキューコンロを提供する。
本考案の無煙携帯型バーベキューコンロは、底盤、二つの側板、蓋、支持板および二つの掛板を含む。底盤は、両側の辺上に枢接部を設けている。二つの側板は、底盤の両側の辺上に相対するように枢設され、二つの折板が枢着してなり、二つの折板は上下にそれぞれ枢接部を設け、相互に枢着した部分を折り曲げ軸としている。
蓋は、相対する二つの側板の上部に枢着され、周辺に枢接部が設けられ、上部に取っ手を有する加熱器が設けられている。支持板は、蓋の側辺に枢着され、蓋の側辺の枢接部に枢着した枢接部が設けられ、開口部が設けられている。二つの掛板は、底盤、二つの側板および蓋の前後面上に組み合わされている。
【考案の効果】
【０００６】
本考案の無煙携帯型バーベキューコンロは、工具を用いずに折り畳みおよび展開が迅速にできる。折り畳まれた無煙携帯型バーベキューコンロは、体積が小さく、携帯に便利で、置き場所も取らないという長所を有する。
また、熱量を集中し、熱源が下方から上方に移動し、加熱効果を向上させることができる。二酸化炭素を削減し、無煙、無毒で空気を汚さないエコ効果がある。
【図面の簡単な説明】
【０００７】
【図１】従来のバーベキューコンロを示す分解斜視図である。
【図２】本考案の一実施形態による無煙携帯型バーベキューコンロを示す分解斜視図である。
【図３】本考案の一実施形態による無煙携帯型バーベキューコンロを示す斜視図である。
【図４】無煙携帯型バーベキューコンロの二つの掛板を取り外した状態を示す斜視図である。
【図５】無煙携帯型バーベキューコンロを片側から使用した状態を示す斜視図である。
【図６】無煙携帯型バーベキューコンロを両側から使用した状態を示す斜視図である。
【図７】無煙携帯型バーベキューコンロの全ての面を閉め切り、オーブンとして使用した状態を示す斜視図である。
【図８】無煙携帯型バーベキューコンロの支持板を収納する状態を示す斜視図である。
【図９】無煙携帯型バーベキューコンロの二つの側板を折り畳む状態を示す斜視図である。
【図１０】無煙携帯型バーベキューコンロが、完全に折り畳まれた状態を示す斜視図である。
【考案を実施するための形態】
【０００８】
以下、本考案の無煙携帯型バーベキューコンロの実施形態を、図面に基づいて説明する。
【０００９】
図２および図３を参照して説明する。
図２は、本考案の一実施形態による無煙携帯型バーベキューコンロを示す分解斜視図である。図３は、本考案の一実施形態による無煙携帯型バーベキューコンロを示す斜視図である。図２および図３に示すように、本考案の無煙携帯型バーベキューコンロは、底盤２、二つの側板３、蓋４、支持板５および二つの掛板６を含む。
【００１０】
二つの側板３は、底盤２の両側の枢接部２０上に相対するように枢設されている。側板３は、二つの折板３０が枢着してなる。二つの折板３０は、上下にそれぞれ枢接部３１を設けている。二つの折板３０が相対して接続する部分は、枢着棒７により枢着されている。
二つの折板３０は、相互に枢着した部分を折り曲げ軸としている。二つの側板３の下部は、枢着棒７により枢接部３１と底盤２両側の枢接部２０と相互に枢着している。二つの側板３には、少なくとも一つの穿孔３２が相対するように設けられ、内側に複数の突起３３が相対するように凸設されている。
【００１１】
蓋４は、相対する二つの側板３の上部に枢着棒７により枢着されている。蓋４の三辺には、枢接部４０が設けられている。蓋４の上には、取っ手４２を有する加熱器４１が設けられている。蓋４の頂面には、二つの凸体４３が相対するようにそれぞれ設けられている。
【００１２】
支持板５は、蓋４の側辺に枢着棒７により枢着されている。支持板５には、蓋４の枢接部４０に枢着した枢接部５０が設けられている。また、支持板５には、開口部５１が設けられている。
【００１３】
二つの掛板６は、底盤２、二つの側板３および蓋４に囲まれた前後面上に組み合わされている。掛板６の頂縁には、折り曲げ部６０が折れ曲がるように形成され、二つの穴６１が設けられている。掛板６の面には、つまみ６２が設けられている。以上が無煙携帯型バーベキューコンロの構造である。
【００１４】
本考案の無煙携帯型バーベキューコンロの組立において、複数の枢着棒７によりそれぞれ底盤２、二つの側板３および蓋４を相互に枢着させ、支持板５を蓋４の下部に枢着させ、支持板５を下方に揺動するように移動させて、支持板５の底縁が底盤２を支持するようにし、二つの側板３および蓋４を上方に向けて突っ張るようにして位置決めを行い、二つの掛板６を蓋４の相対する二つの辺に設けると組立が完了する。
【００１５】
本考案の無煙携帯型バーベキューコンロを広げて使用する際は、蓋４上の加熱器４１の取っ手４２を持って蓋４を上方に持ち上げると、二つの側板３の折板３０が展開して直立状態となり、支持板５が自重により下方に揺動するように移動して、支持板５の底縁が底盤２を支持するようにし、二つの側板３および蓋４が突っ張るようにして位置決めを行うとバーベキューコンロができあがる。迅速にバーベキューコンロを広げられるため、大変便利である。
【００１６】
図４および図５を参照して説明する。
図４は、無煙携帯型バーベキューコンロの二つの掛板を取り外した状態を示す斜視図である。図５は、無煙携帯型バーベキューコンロを片側から使用した状態を示す斜視図である。図４および図５に示すように、本考案の無煙携帯型バーベキューコンロがバーベキューに使われる場合、一方の掛板６を蓋４上に掛け、もう一方の掛板６の折り曲げ部６０を底盤２の辺縁上に引っ掛けて用いることができる。
もう一方の掛板６のつまみ６２が、地上またはテーブル上において支持点となり、掛板６が水平に設けられた面となり、バーベキューの材料、焼かれた後の食材ａ、バーベキューソースｂなどを置くことができる。また、相対する二つの側板３内側面の突起３３に網８０を配置して二つの側板３の間に位置決めすることにより、蓋４上に設けられた加熱器４１が網８０上の食材ａに対して加熱を行う。
片側から使用した場合は、三方からの風を防ぎ、熱量を集中し、熱源が下方から上方に移動し、加熱効果を向上させることができる。また、二酸化炭素を削減し、無煙、無毒で空気を汚さないエコ効果があり、ホコリ、虫などが食材ａに付着するのを防ぐため、非常に衛生的である。木炭が燃える際に炎が突然大きくなるという危険を防ぐこともできる。
【００１７】
図６を参照して説明する。
図６は、無煙携帯型バーベキューコンロを両側から使用した状態を示す斜視図である。図６に示すように、蓋４上から二つの掛板６を取り外し、二つの掛板６をそれぞれ底盤２前後の辺縁上に引っ掛けて用いることにより２人が同時に前後両側から調理を行うことができる。また、コンロ内の前後部の食材ａの焼け具合も見られるため、適時に食材ａをひっくり返したり、ソースを塗ったりすることができる。  
【００１８】
図７を参照して説明する。
図７は、無煙携帯型バーベキューコンロの全ての面を閉め切り、オーブンとして使用した状態を示す斜視図である。図７に示すように、鶏の丸焼きなど大きな食材ａに対して加熱を行う場合、串８１に食材ａを挿着し、串８１の両方の端部を二つの側板３の穿孔３２内に穿設する。一方の側板３の外部から挿入された串８１の端部には、駆動器８２が設けられている。
二つの掛板６は、底盤２、二つの側板３および蓋４のに囲まれた前後面に設けられ、箱体を形成し、オーブンとして使用することができる。駆動器８２が串８１を回転させると串８１が食材ａを回転させる。蓋４上の加熱器４１が食材ａを均等に加熱することにより、熱エネルギーの放出を防ぎ、好適な加熱効果が得られる。使い勝手が良く、室内および野外でも使用することができる。
【００１９】
図８〜１０を参照して説明する。
図８は、無煙携帯型バーベキューコンロの支持板を収納する状態を示す斜視図である。図９は、無煙携帯型バーベキューコンロの二つの側板を折り畳む状態を示す斜視図である。図１０は、無煙携帯型バーベキューコンロが完全に折り畳まれた状態を示す斜視図である。
図８〜１０に示すように、本考案の無煙携帯型バーベキューコンロの不使用時においては、蓋４上から二つの掛板６を取り外し、支持板５の底縁を上方に移動させ（図８参照）、支持板５を蓋４の枢接部４０を支軸として上方に揺動させて蓋４内に収納する。そして、二つの側板３の二つの折板３０の間の枢接部４０を内側に向けて押し込むと、二つの折板３０が折り畳まれ、底盤２内に収納される。その際、蓋４が底盤２に被さる。
【００２０】
以上のように、本考案の無煙携帯型バーベキューコンロは、工具を用いずに折り畳みおよび展開が迅速にできる。折り畳まれた無煙携帯型バーベキューコンロは、体積が小さく、携帯に便利で、置き場所も取らないという長所を有する。
【００２１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２２】
１  バーベキューコンロ
２  底盤
３  側板
４  蓋
５  支持板
６  掛板
７  枢着棒
１０  本体
１１  網
１２  支脚
２０  枢接部
３０  折板
３１  枢接部
３２  穿孔
３３  突起
４０  枢接部
４１  加熱器
４２  取っ手
４３  凸体
５０  枢接部
５１  開口部
６０  折り曲げ部
６１  穴
６２  つまみ
８０  網
８１  串
８２  駆動器
ａ  食材
ｂ  バーベキューソース
【図１】
0003183959.tif 000003
【図２】
0003183959.tif 000004
【図３】
0003183959.tif 000005
【図４】
0003183959.tif 000006
【図５】
0003183959.tif 000007
【図６】
0003183959.tif 000008
【図７】
0003183959.tif 000009
【図８】
0003183959.tif 000010
【図９】
0003183959.tif 000011
【図１０】
0003183959.tif 000012